(57)【特許請求の範囲】
【請求項１】
一平面内に互いに平行に配置された４本以上の導電ワイヤと、
力がかかっていなければ平面状の構成に戻る、前記４本以上の導電ワイヤを一平面内に互いに平行に保持する非陽子放出性のサブストレートとを有し、
前記サブストレートは、前記導電ワイヤを平行かつ共通平面内に取り囲み保持する、巻きやひねりに抵抗するフラットフォームジャケットを含む、
磁気共鳴（ＭＲ）セーフケーブル。
【請求項２】
前記サブストレートは、前記導電ワイヤを一平面内に互いに平行に保持するように、長手方向に離間した複数のケーブルコムを含み、各コムはワイヤの一つを受け止め平行に一平面内にアンカーするように構成された複数のスロットを含む、
請求項１に記載のＭＲセーフケーブル。
【請求項３】
前記サブストレートは、前記導電ワイヤを少なくとも４ｍｍだけ隔てて一共通平面内に固定する、
請求項１または２に記載のＭＲセーフケーブル。
【請求項４】
前記フラットフォームジャケットはクローズドセルフォームを含む、
請求項１ないし３いずれか一項に記載のＭＲセーフケーブル。
【請求項５】
前記フラットフォームジャケットは、各導電ワイヤと外表面との間に少なくとも２．５ｍｍのフォームを含む、
請求項１ないし４いずれか一項に記載のＭＲセーフケーブル。
【請求項６】
各導電ワイヤは、非導電コアの周りに螺旋状に巻かれ、絶縁材料でカバーされた高抵抗ワイヤを含む、
請求項１ないし５いずれか一項に記載のＭＲセーフケーブル。
【請求項７】
各導電ワイヤは前記サブストレート内に配置された個別抵抗素子を含む、
請求項１ないし６いずれか一項に記載のＭＲセーフケーブル。
【請求項８】
前記サブストレートを取り囲む保護シールドをさらに含む、
請求項１ないし７いずれか一項に記載のＭＲセーフケーブル。
【請求項９】
前記４本以上の導電ワイヤを張力緩和し、ワイヤを所定の接続に向けて誘導する、前記サブストレートの各端に取り付けられたエンドキャップをさらに含む、
請求項１ないし８いずれか一項に記載のＭＲセーフケーブル。
【請求項１０】
各ワイヤをＥＣＧ電極と接続する前記ケーブルの一端に配置されたコネクタと、
前記ワイヤを患者モニターに接続する前記ケーブルの他端に配置されたコネクタとをさらに含む、
請求項１ないし９いずれか一項に記載のＭＲセーフケーブル。
【請求項１１】
前記サブストレートはさらに、
集積回路、ノッチフィルタ、ローパスフィルタ、電源リード、センサ、及び光ファイバーのうちの少なくとも一つを収容する、
請求項１ないし１０いずれか一項に記載のＭＲセーフケーブル。
【請求項１２】
磁気共鳴（ＭＲ）セーフケーブルを使用する方法であって、
少なくとも４つの電極を被験者に取り付け、
被験者または被験者支持台により支持されて、前記被験者に沿って前記ＭＲセーフケーブルを配置するステップであって、前記ＭＲセーフケーブルは一平面内に平行に配置され、巻きやひねりに抵抗するフォームジャケットに収容された少なくとも４本の導電ワイヤを含むステップと、
前記少なくとも４本の導電ワイヤの第１端の対応するコネクタのうちの一つに取り付けられたコネクタを、前記電極に接続するステップと、
前記導電ワイヤの第２端に取り付けられたコネクタを、患者モニターに接続するステップと、
前記導電ワイヤを平行かつ一平面内に包み込む、力がかかっていなければ平面状の構成に戻る、前記ＭＲセーフケーブルの非陽子放出性サブストレートを用いて、前記少なくとも４本の導電ワイヤを一平面内かつ平行に保持するステップとを含む、
方法。
【請求項１３】
前記ＭＲセーフケーブルが磁気共鳴スキャナーのイメージング領域に部分的に配置された前記磁気共鳴スキャナーで前記被験者をイメージングするステップをさらに含む、
請求項１２に記載の方法。
【請求項１４】
磁気共鳴（ＭＲ）セーフケーブルを生産する方法であって、
力がかかっていなければ平面状の構成に戻る、非陽子放出性のサブストレートで、少なくとも４本の導電ワイヤを平行かつ一平面内に伸ばすステップと、
伸ばされた前記少なくとも４本の導電ワイヤを、前記サブストレートに含まれる巻きやひねりに抵抗するフラットフォームジャケットでコーティングするステップとを含む、
方法。
【請求項１５】
前記フラットフォームジャケットの各端に、前記導電ワイヤに張力緩和を提供するエンドキャップを適用するステップをさらに含む、
請求項１４に記載の方法。
【発明の詳細な説明】
【技術分野】
【０００１】
下記の説明は概して磁気共鳴（ＭＲ）イメージングに関する。具体的にＭＲイメージング中に心電計（ＥＣＧ）と共に応用でき、具体的にそれを参照して説明する。しかし、言うまでもなく、その他の使用例にも応用でき、必ずしも上記の応用例に限定されない。
【背景技術】
【０００２】
ＭＲイメージングは、イメージング手順中にＥＣＧモニタリングなどの生体電位測定を行うことが多い。患者はＭＲ手順中にＥＣＧその他のモニターでバイタルサインをモニターされ、状態を確認される。ＥＣＧモニターは画像キャプチャのトリガーやゲートとしてＭＲイメージングで使われ得る。例えば、被験者の心臓が一定の位相で画像に現れるように、または画像中のモーションアーティファクトを補償するように、画像をトリガーできる。
【０００３】
ＥＣＧモニタリングは、患者の身体の異なる点に取り付けられた電極を用いる。電極は、身体から、心臓の位相を示す弱い電気信号を検知する。電極は、検知された信号をＥＣＧモニターに送信するリードに取り付けられる。ＥＣＧモニターは信号を分析し、及び／又は信号を視覚的に表示する。各リードは、電極をＥＣＧモニターに接続し、取り付けられた電極からＥＣＧモニターに信号を送る導電ワイヤ又はトレースを含む。電極及びそれに対応するリードの数は可変であり、これは一人の患者の電極をＥＣＧモニターに接続するワイヤ数は可変であることを意味する。リードは、呼吸モニターなどの、患者の他の生体電位測定用のリードも含み得る。
【０００４】
磁気共鳴スキャナーは、患者のイメージングのために強磁場を使い、この強磁場はＥＣＧトレース又はワイヤなどの導電ワイヤに電流を誘導し得る。スキャナーの磁場はＥＣＧワイヤに電流を誘導し、潜在的に間違った心拍測定値を与え、または波形検出スキームからのＥＣＧ  Ｒ波をわかりにくくし得る。ワイヤは摩擦電気効果に敏感であり、患者の動きに対して過敏である。ワイヤ間のクロストークは送信される信号に干渉し得る。ワイヤのループにより、一以上のワイヤが同じまたは別のリードワイヤのごく近くでループしていると、干渉が増大し得る。ディスクリートワイヤは、ＥＣＧ信号の伝達において矛盾が発生し不正確になることがある。ワイヤ、ケーブル、及び／又は絶縁材料の選択が適切でなく、陽子を放射するものであると、画像にアーティファクトが生じることがある。
【０００５】
患者の安全のため、ワイヤを含むケーブルの材料の選択及び構成には注意を要する。鉄を含む材料はスキャナーの強磁場中で自動的に動き、患者や医療従事者を傷つける可能性がある。磁場中の非ＭＲ  ＥＣＧケーブルに誘導される電流により、ワイヤが加熱され、患者にやけどを負わせることもあり得る。
【０００６】
ＭＲケーブルに対する現在のアプローチでは、一般的に、網組またはツイストされ、ＭＲスキャナーからのノイズを拾いにくくした高抵抗ワイヤが用いられている。網組またはツイストされたワイヤ束は次いで絶縁される。幾つかのアプローチでは、次いで磁場からの干渉をさらに最小化するシールドが追加される。しかし、これらのアプローチは、ツイストまたは網組されたワイヤ間のクロストークにまだ取り組んでおり、ワイヤのループにより生じる問題を解決していない。また、ワイヤのツイストまたは網組、及びシールドなどのコンポーネントの追加により、ケーブルのコストが増大する。
【発明の概要】
【課題を解決するための手段】
【０００７】
以下に、上記の問題等を解決する生体電位測定用の新しい改良された平面型磁気共鳴セーフケーブルを開示する。
【０００８】
一態様では、磁気共鳴（ＭＲ）セーフケーブルは、一平面内に互いに平行に配置された４本以上の抵抗制御型導電ワイヤと、前記４本以上の抵抗制御型導電ワイヤを一平面内に互いに平行に保持する固く非陽子放出性サブストレートとを含む。
【０００９】
他の一態様では、磁気共鳴（ＭＲ）セーフケーブルを使用する方法は、少なくとも４つの電極を被験者に取り付けるステップを含む。前記ＭＲセーフケーブルは、被験者または被験者支持台により支持されて、被験者に沿って配置される。ＭＲケーブルは一平面内に平行に配置された少なくとも４本の抵抗制御型導電ワイヤを含む。少なくとも４本の抵抗制御型導電ワイヤの第１端の対応するコネクタのうちの一つに取り付けられたコネクタが電極に接続される。抵抗制御型導電ワイヤの第２端に取り付けられたコネクタが患者モニターに接続される。一平面内の平行な４本以上の抵抗制御型導電ワイヤが、ＭＲセーフケーブルの固い非陽子放出性のサブストレートで保持される。このサブストレートは抵抗制御型導電ワイヤを平行に一平面内に包み込む。
【００１０】
他の一態様では、磁気共鳴（ＭＲ）セーフケーブルを生産する方法は、少なくとも４本の抵抗制御型導電ワイヤを平行かつ一平面内に伸ばすステップと、伸ばされた前記少なくとも４本の抵抗制御型導電ワイヤを固いフォームジャケットでコーティングするステップとを含む。
【００１１】
一利点は、ケーブルが強磁場中で動作しても、生体電位測定のために信頼性がより高く繰り返し可能である。
【００１２】
他の一利点は、静磁場及びグラジエント磁場から電極及び抵抗トレース中の干渉電流の誘導の変化を低減することにある。
【００１３】
他の一利点は、ケーブル中の抵抗トレース間の動きを無くして、摩擦効果及びマイクロフォン効果を低減することにある。
【００１４】
他の一利点は、各リードに電流が等しく誘導され、共通モードフィルタにより相殺できる可能性を大きくすることにある。
【００１５】
他の一利点は、強磁場における患者の安全性にある。
【００１６】
他の一利点は、安定し、分散した高抵抗トレースにある。
【００１７】
他の一利点は、ＭＲイメージングにおいてアーティファクトを生じないケーブルにある。
【００１８】
さらに別の効果は、下記の詳細な説明を読んで理解すれば、本技術分野の当業者に明らかになるであろう。
【図面の簡単な説明】
【００１９】
本発明は、様々なコンポーネントとその構成、及び様々なステップとその構成の形を取る。図面は好ましい実施形態を例示することのみを目的とし、本発明を限定するものと解してはならない。
【図１】図１Ａ乃至Ｃはそれぞれ、生体電位測定用平面型磁気共鳴セーフケーブルの一実施形態を示す上面図、断面図、及び側面図である。
【図２】図２Ａ及び２Ｂは、生体電位測定用平面型磁気共鳴セーフケーブルの他の一実施形態を示す上面図及び横断面図である。
【図３】抵抗制御型導電ワイヤの一実施形態を示す模式図である。
【図４】保護シールド付き平面型磁気共鳴セーフケーブルの他の一実施形態を示す模式図である。
【図５】抵抗制御型導電ワイヤ間に追加的コンポーネントを有する平面型磁気共鳴セーフケーブルの他の一実施形態を示す模式図である。
【図６】抵抗制御型導電ワイヤに隣接して追加的コンポーネントを有する平面型磁気共鳴セーフケーブルの他の一実施形態を示す断面図である。
【図７】ＭＲスキャナーとＥＣＧモニターを有する平面型磁気共鳴セーフケーブルの他の一実施形態を示す模式図である。
【図８】生体電位測定用の平面型磁気共鳴セーフケーブルの一実施形態を生産する方法を示すフローチャートである。
【図９】生体電位測定用の平面型磁気共鳴セーフケーブルの一実施形態を使用する方法を示すフローチャートである。
【発明を実施するための形態】
【００２０】
図１Ａを参照して、生体電位測定用の平面型磁気共鳴（ＭＲ）セーフケーブル１０の一実施形態を示す上面図である。図１Ｂには、ＭＲセーフケーブル１０が断面図で示され、図１Ｃには、ＭＲセーフケーブル１０が側面図で示されている。図示したケーブル１０は、４本の抵抗制御型導電ワイヤ１２が共通平面中に互いに平行に配置されている。他の実施形態では、ケーブルは、任意数（例えば、４乃至１２本）のワイヤが共通平面中に互いに平行にあるように構成し得る。ワイヤは強磁場中でＥＣＧ信号などの生理的信号を伝達する。強磁場は磁気共鳴イメージング（ＭＲＩ）スキャナーの磁場であり得る。抵抗制御型導電ワイヤは、一実施形態では、隣接するワイヤ間に少なくとも４ｍｍの距離１６があるが、他の距離も想定される。
【００２１】
ケーブル１０は、共通平面中に互いに平行に４本以上の抵抗制御型導電ワイヤを有する固い平面状サブストレート１４を含む。サブストレートは非陽子放出性材料によりできている。固い平面状サブストレートは、平行かつ共通平面内にある複数の導電ワイヤを取り囲み保持するフォームプラスチックジャケット（ｆｏａｍ  ｐｌａｓｔｉｃ  ｊａｃｋｅｔ）を含む。導電ワイヤを平行かつ共通平面内に保持することにより、誘導電流が同じワイヤに等しく誘導され、それゆえ「コモンモード」により、より容易にフィルタ除去できる。フォームジャケットはワイヤが患者に接触しないように熱的及び電気的に絶縁する。一実施形態によるフォームは、各抵抗制御型導電ワイヤと外表面との間に少なくとも２．５ｍｍのフォーム１８を含む。フォームはオープンセルフォームまたはクローズドセルフォームを含み得る。クローズドセルフォームは清浄化が容易である。
【００２２】
固い平面状サブストレートの両端に取り付けられたエンドキャップ２０は、４本以上の抵抗制御型導電ワイヤを張力緩和し、ワイヤを所定の接続に誘導する。例えば、各ワイヤは、コネクタと、サブストレートまたはフォームジャケットの端との間で張力緩和２２をサポートし得る。エンドキャップはケーブルを把持しコネクタにフィットさせる剛体面を提供し得る。エンドキャップによりケーブルの全体的なすり減りが減少する。ケーブルの一端に配置されたコネクタ２４は、各ワイヤをＥＣＧ電極のコンタクトに接続（例えば、クリップ）する。他端に配置されたコネクタ２６は、ワイヤを患者モニターに接続（例えば、プラグ）する。コネクタはカラーコード、マーク、形状などによりキーイングされ得る。これにより、医療従事者は各コネクタに対して対応する所定の接続を容易に特定できる。コネクタは、個別リード２７及び電極コネクタとともに示したような個別コネクタであってもよいし、患者モニターコネクタとともに示したようなユニタリーコネクタであってもよい。ユニタリーコネクタは、張力緩和、組織化、及び順序付けられた接続を追加的に提供するウェビング（ｗｅｂｂｉｎｇ）を含み得る。リード２７は、長さが異なるリードを有する図示したようなジグザグ構成とすることができ、または長さが同じリードを有する直線状構成とすることができる。
【００２３】
ケーブルは、格納を容易にするため、フォームジャケットまたはサブストレート中のネック２８を含み得る。例えば、ケーブルは大きいコイルに巻かれ、格納のために一時的ファスナーで縛ることもできる。ファスナーを取ると、ケーブルは伸びて平面位置に戻る。
【００２４】
図２Ａ乃至２Ｂを参照して、生体電位測定用平面状磁気共鳴セーフケーブル１０の他の一実施形態を示す模式図である。図２Ａにおいて、ケーブル１０が上面図に示され、図２Ｂにおいて、ケーブル１０が断面図に示されている。図示したように、固い平面状サブストレート１４は、共通平面内に互いに平行に５本の抵抗制御型導電ワイヤ１２を保持する。サブストレート１４はＭＲ不活性材料または陽子を放出しない材料を含む。固いサブストレート１４は、抵抗制御型導電ワイヤ１２を共通平面内に、一定の離間かつ互いに平行に保持するように離間された複数のケーブルコム（ｃａｂｌｅ  ｃｏｍｂｓ）３０を含む。各コム３０はスロット３２を含み、各スロットは隣接するワイヤに平行なワイヤの一つを、及び共通平面内のワイヤを集合的に保持する。
【００２５】
各抵抗制御型導電ワイヤは、個別抵抗、ＲＦチョークなどの電気ショック防止コンポーネント３４を含み得る。例えば、所定の又は可変の抵抗は、各ワイヤの抵抗を制御するため、そのワイヤに接合される。ワイヤ１２は、ノッチフィルタ、ローパスフィルタ、集積回路、センサなど、一以上の追加的コンポーネントを個別に又は集合的に含み得る。フィルタはＥＣＧ信号の周波数以外の周波数の電流をブロックできる。
【００２６】
図２Ａと図２Ｂの実施形態は、例えば製造時にケーブルコム（ｃａｂｌｅ  ｃｏｍｂｓ）を用い、図２Ａと図２Ｂのサブストレートをフォームジャケットに集積して、図１Ａ乃至１Ｃの実施形態に集積し得る。
【００２７】
図３を参照して、抵抗制御型導電ワイヤ１２の一実施形態を模式的に示す。抵抗制御型導電ワイヤは、細い高抵抗ワイヤ４０が非導電コア４２の周りに螺旋状に巻かれているものを含む。細い高抵抗ワイヤ４０はニッケル銅合金を含み得る。抵抗制御型導電ワイヤ１２は絶縁材料カバー４４を含み得る。非導電コア４２と絶縁材料カバー４４はＭＲ不活性材料からできている。
【００２８】
図４を参照して、平面型磁気共鳴セーフケーブル１０の他の一実施形態を断面図に模式的に示す。ケーブルは、非鉄箔または銅メッシュなどの保護シールド４６が抵抗制御型導電ワイヤを囲んでいるものを含み得る。保護シールドはさらに電気的干渉からワイヤ１２を保護する。保護シールドは、図示したように外部カバーとして配置され、または点線で示したようにフォームジャケットに集積される。
【００２９】
図５を参照して、平面型磁気共鳴セーフケーブル１０の他の一実施形態を断面図に模式的に示す。これは、光ファイバー、アンテナリード、センサリード、集積回路、電源リードなどの追加的な光学的または導電コンポーネント５０を有する。導電コンポーネントは、抵抗制御型導電ワイヤ間に、及び／又は図６に示したようにワイヤ１２に隣接して配置され得る。
【００３０】
図７を参照して、ＭＲスキャナー６２の磁場６０中にある平面型磁気共鳴セーフケーブル１０の他の一実施形態を模式的に示す。ＭＲスキャナー６２は断面図で示している。図示したケーブル１０は、被験者の電極６４に、及びＥＣＧモニター、呼吸モニターなどの患者モニター６６に、リード２７により接続されている。ＭＲスキャナーは磁石コイル６８から水平または垂直の静磁場Ｂ０を発生する。ＭＲスキャナーはグラジエントコイル７０からグラジエント磁場すなわちＢ１磁場を発生する。ＭＲスキャナーは、ローカル及び／又はホールボディＲＦコイル７２で被験者の組織中に共鳴を誘導する。ケーブル１０は、さまざまなコイルにより発生する磁場及びＲＦ場がある中で、被験者に取り付けられた電極から、検知された生理的信号を受け取り、その生理的信号を患者モニターに送る。
【００３１】
ケーブル１０は、抵抗制御型導電ワイヤを平面内に平行に保持する。ケーブルサブストレートは巻きやひねりに抵抗する固いジャケットを形成する。サブストレートはほぼまっすぐな電路でケーブルに戻る。ケーブルは、力がかかっていなければ、平面状の構成に戻り、例えば平らな表面上に置けば、まっすぐかつ平坦になる。
【００３２】
図８を参照して、生体電位測定用の平面型磁気共鳴セーフケーブル１０の一実施形態を生産する方法を示すフローチャートである。ステップ８０において、少なくとも４本の抵抗制御型導電ワイヤ１２が、平行かつ共通平面内に伸ばされる。ワイヤは２つのケーブルコム（ｃａｂｌｅ  ｃｏｍｂｓ）間などの２つのライン間で垂直に伸ばされる。このステップは、光ファイバー、アンテナ、パワーケーブルなどの共通平面中の追加的リードを伸ばすステップを含み得る。このステップは、個別抵抗素子、集積回路、センサなどを追加するステップを含み得る。
【００３３】
ステップ８２において、固いフォームジャケットは、引き延ばされた少なくとも４本の抵抗制御型導電ワイヤをコーティングする。固いフォームジャケットは、ワイヤを平行かつ共通平面内に保持または固定する。一実施形態では、フォームジャケットは加圧成型される。ケーブルコムは固いフォームジャケットに集積し得る。
【００３４】
ステップ８４において、フォームジャケットの各端にエンドキャップを取り付けるステップは、張力緩和になる。エンドキャップは、別のステップとして、フォームジャケット（ｆｏａｍ  ｊａｃｋｅｔ）に集積または追加され得る。
【００３５】
ステップ８６において、少なくとも４本の抵抗制御型導電ワイヤは、第１端において電極コネクタで終端され、第２端において患者モニターコネクタで終端される。このステップはコネクタまたはリードにキーを加えるステップを含む。
【００３６】
図９を参照して、生体電位測定用の平面型磁気共鳴セーフケーブル１０の一実施形態を使用する方法を示すフローチャートである。ステップ９０において、少なくとも４本の電極が被験者に取り付けられる。
ステップ９２において、ＭＲセーフケーブルが、被験者に沿って配置される。ＭＲセーフケーブルは、平行に平面内に配置された少なくとも４本の抵抗制御型導電ワイヤを含む。このステップは、格納構成から動作構成にＭＲセーフケーブルをリリースするステップを含み得る。
【００３７】
少なくとも４本の抵抗制御型導電ワイヤの第１端の対応するコネクタのうちの一つに取り付けられたコネクタがステップ９４において電極に接続される。抵抗制御型導電ワイヤの第２端に取り付けられたコネクタは、ステップ９６において患者モニターに接続される。
【００３８】
ステップ９８において、抵抗制御型ワイヤを平行かつ平面内に（ｐａｒａｌｌｅｌ  ｐｌａｎａｒ  ｃｏｎｆｉｇｕｒａｔｉｏｎ）包み込む、ＭＲセーフケーブルの固く、非陽子放出性またはＭＲ不活性のサブストレートを用いて、４本以上の抵抗制御型導電ワイヤを平面内かつ平行な構成に保持する。ワイヤは、生体電位測定のため、ＥＣＧ信号を電極から患者モニターに送る。固いサブストレートは、図１Ａ乃至１Ｃ、２Ａ乃至２Ｂ、３乃至７を参照して説明したケーブルの実施形態、またはこれらの組み合わせを含み得る。
【００３９】
ステップ１００において、被験者は磁気共鳴スキャナーと、それに接続されたＭＲセーフケーブルとで画像化され得る。このステップは、ＥＣＧ信号などの生理的信号を、分析され及び／又は表示される画像化と同時に、ＭＲセーフケーブルで送信するステップを含む。イメージングは、例えば、トリガーされた又はゲーティングされたイメージングなどの送信信号の処理を含み得る。
【００４０】
言うまでもなく、ここに説明する具体的実施形態に関して、ある構造的特徴及び／又は機能的特徴を、確定された要素及び／又はコンポーネントに組み込まれるものとして説明した。しかし、これらの特徴は、場合によっては、同じまたは同様の利益のために、他の要素及び／又はコンポーネントに組み込まれても良い。また、言うまでもなく、実施形態の異なる態様は、必要に応じて選択的に利用して、所望のアプリケーションに適した他の代替的な実施形態を実現し、それにより他の代替的な実施形態により、それに組み込まれた態様の利点を実現するようにしてもよい。
【００４１】
例えば、リードワイヤ１２は、巻き、ねじれ、またはその他の相互的な動きに抵抗するその他の関係で配置することもできる。一例では、リードワイヤは、第１と第２の隣接する平行な平面中に交互に配置される。
【００４２】
また、言うまでもなく、ここに説明の具体的な要素またはコンポーネントは、その機能をハードウェア、ソフトウェア、ファームウェア、またはこれらの組み合わせにより好適に実装することができる。また、言うまでもなく、共に組み込まれるとしてここに説明した要素は、好適な状況では、スタンドアロンの要素であってもよいし、そうでなければ分割されていてもよい。同様に、具体的な要素により実行されるものとして説明した複数の具体的な機能は、個別に動作して個別の機能を実行する複数の区別できる要素により実行されてもよいし、一定の個別機能が分割され、調和して動作する複数の区別できる要素により実行されてもよい。交互に、互いに区別できるとしてここに説明及び／又は図示した一部の要素またはコンポーネントは、場合によっては、物理的にまたは機能的に結合していてもよい。
【００４３】
要するに、本明細書は好ましい実施形態を参照して記載されている。明らかに、本明細書を読んで理解すれば、修正と変更に想到することができる。本発明は、添付した請求項とその均等の範囲内に入るこのような修正及び変更はすべて含むものと解釈しなければならない。すなわち、言うまでもなく、上に開示した及びその他のさまざまな特徴と機能、またはそれらの代替物は、結合して、その他の多くの異なるシステムまたはアプリケーションにしてもよい。また、現時点では予想できない代替物、修正、バリエーションまたはそれらの改良が、後で当業者によって行われても良く、これらは次の特許請求の範囲に含まれる。
【図１Ａ】
0006571654.tif 000002
【図１Ｂ】
0006571654.tif 000003
【図１Ｃ】
0006571654.tif 000004
【図２Ａ】
0006571654.tif 000005
【図２Ｂ】
0006571654.tif 000006
【図３】
0006571654.tif 000007
【図４】
0006571654.tif 000008
【図５】
0006571654.tif 000009
【図６】
0006571654.tif 000010
【図７】
0006571654.tif 000011
【図８】
0006571654.tif 000012
【図９】
0006571654.tif 000013